(57)【要約】 【課題】  簡単な機構と合理的な構成により（付勢手段と、摘み操作片のみで）、操作ハンドルを自動的に施錠することができること。【解決手段】  窓用クレセント錠に於いて、回転ロック機構１０は、ケース本体５内に組み込まれた付勢手段１１と、該付勢手段のバネ力により摘み部分１２ｄに連設するケース本体内のストッパー部１２ａがスプーン７の弧状周壁７ａに常時圧接する摘み操作片１２とを含み、操作ハンドル８をハンドル施錠位置まで回転すると、摘み操作片が付勢手段のバネ力によりそのストッパー部がスプーンの端面７ｂと対向する位置まで移動して該操作ハンドルを自動施錠することを特徴とする。【選択図】  図５
2006112136.tif 000002
【特許請求の範囲】
【請求項１】
ケース本体に回動可能に装着されかつハンドルを回転するとクレセント受けに係合するスプーンを有する操作ハンドルと、この操作ハンドルをハンドル施錠位置にて自動的にロック状態にする回転ロック機構とを備える窓用クレセント錠に於いて、前記回転ロック機構１０は、ケース本体５内に組み込まれた付勢手段１１と、該付勢手段のバネ力により摘み部分１２ｄに連設するケース本体内のストッパー部１２ａが前記スプーン７の弧状周壁７ａに常時圧接する摘み操作片１２とを含み、前記操作ハンドル８をハンドル施錠位置まで回転すると、摘み操作片が付勢手段のバネ力によりそのストッパー部がスプーンの端面７ｂと対向する位置まで移動して該操作ハンドルを自動施錠することを特徴とする窓用クレセント錠。
【請求項２】
請求項１に於いて、摘み操作片１２を付勢手段１１のバネ力に抗してスライドさせると、操作ハンドルに対する施錠状態を解消し得ることを特徴とする窓用クレセント錠。
【請求項３】
請求項１に於いて、回転ロック機構は、さらに、ケース本体内に配設された摘み操作片用ロック手段１３を含み、該ロック手段１３は、摘み操作片が該操作ハンドル８を、そのスプーンを介して自動的にスライド施錠した時に、摘み操作片の他端部に形成した係合部に自動的に係合するロッキング片を有していることを特徴とする窓用クレセント錠。
【請求項４】
ケース本体に回動可能に装着されかつ回転するとクレセント受けに係合するスプーンを有する操作ハンドルと、この操作ハンドルを施錠位置へと回転すると該操作ハンドルを自動的にロック状態にする回転ロック機構とを備える窓用クレセント錠に於いて、前記回転ロック機構は、ケース本体に上下動可能に設けられた摘み操作片と、この摘み操作片と係脱する摘み操作片用ロック手段と、このロック手段のロック状態を制御するダイヤル部材とから構成され、前記摘み操作片は一端部側にスプーンの弧状周壁に常時圧接するストッパー部を有すると共に、その他端部側にロック手段のロッキング片の係止部と係脱可能な係合部を有し、前記操作ハンドルをハンドル施錠位置まで回転すると、前記摘み操作片が付勢手段のバネ力によりそのストッパー部がスプーンの端面と対向する位置まで移動して該操作ハンドルを自動施錠することを特徴とする窓用クレセント錠。
【請求項５】
請求項４に於いて、ロック手段は、共通軸３５に軸支されたロッキング片１４と、該ロッキング片を制御するロック制御片３１とで構成され、前記ロック制御片３１は、ロッキング片の係止部１４ａが摘み操作片の係合部に係合するように付勢する第１バネ３３とは別個の第２バネ３４のバネ力により又はバネ力に抗して独立にダイヤル部材２２に対して係脱することを特徴とする窓用クレセント錠。
【請求項６】
請求項４に於いて、まず、ダイヤル部材をダイヤル解錠状態とし、次に、摘み操作片１２を付勢手段１１のバネ力に抗してスライドさせて操作ハンドルに対する施錠状態を解消し得ることすることを特徴とする窓用クレセント錠。
【発明の詳細な説明】
【技術分野】
【０００１】
本発明は家屋やビルなどの窓に盗難防止用の施錠装置として取付けられる窓用クレセント錠に関する。
【背景技術】
【０００２】
特許文献１には、窓用クレセント錠を含むサッシが記載されている。このサッシの窓用クレセント錠には、ケース本体に回動可能に装着されかつハンドルを回転するとクレセント受けに係合するスプーンを有する操作ハンドルと、この操作ハンドルを内障子と外障子とが正常閉鎖位置にあるときのみ該操作ハンドルの施錠方向への回転を許容する回転阻止機構と、該回転阻止機構の許容に基づき、操作ハンドルを施錠位置へと回した時に該操作ハンドルを自動的にロック状態にする自動ロック機構がそれぞれ開示されている。
【０００３】
本発明の構成に関係がある後者の自動ロック機構の具体的構成は必ずしも明瞭でない（不明確である）が、同明細書の添付図面の図７（ｄ）を参酌する限り、前者の回転阻止機構を構成する揺動片の他端部に形成した係合部が、台座の外壁面に設けた皿状案内部の周縁に形成した被係合部に係合するような構成である。特許文献１記載の自動ロック機構は、施錠の確実性の観点から疑問点がある。
【特許文献１】特開平９−１５８５８５
【発明の開示】
【発明が解決しようとする課題】
【０００４】
本発明の第１の目的は、簡単な機構と合理的な構成により、操作ハンドルをハンドル施錠位置まで回転すると、操作ハンドルを自動的かつ確実に施錠すること。第２の目的は、操作ハンドルが摘み操作片で施錠された時には、容易に操作ハンドルを回すことができないことである。第３の目的は、防犯性の向上を図ることができること。第４の目的は、ダイヤル部材をダイヤル施錠位置（番号不一致）にした後に、操作ハンドルを、そのスプーンが外側障子のクレセント受けに係合するように回すと、そのまま操作ハンドルの回転を施錠（ハンドルロックの状態）にすることができること。
【課題を解決するための手段】
【０００５】
本発明の窓用クレセント錠は、第１の目的に基づき、ケース本体に回動可能に装着されかつハンドルを回転するとクレセント受けに係合するスプーンを有する操作ハンドルと、この操作ハンドルをハンドル施錠位置にて自動的にロック状態にする回転ロック機構とを備える窓用クレセント錠に於いて、前記回転ロック機構１０は、ケース本体５内に組み込まれた付勢手段１１と、該付勢手段のバネ力により摘み部分１２ｄに連設するケース本体内のストッパー部１２ａが前記スプーン７の弧状周壁７ａに常時圧接する摘み操作片１２とを含み、前記操作ハンドル８をハンドル施錠位置まで回転すると、摘み操作片が付勢手段のバネ力によりそのストッパー部がスプーンの端面７ｂと対向する位置まで移動して該操作ハンドルを自動施錠することを特徴とする。
【０００６】
また、本発明の窓用クレセント錠は、他の目的を加味し、ケース本体に回動可能に装着されかつ回転するとクレセント受けに係合するスプーンを有する操作ハンドルと、この操作ハンドルを施錠位置へと回転すると該操作ハンドルを自動的にロック状態にする回転ロック機構とを備える窓用クレセント錠に於いて、前記回転ロック機構は、ケース本体に上下動可能に設けられた摘み操作片と、この摘み操作片と係脱する摘み操作片用ロック手段と、このロック手段のロック状態を制御するダイヤル部材とから構成され、前記摘み操作片は一端部側にスプーンの弧状周壁に常時圧接するストッパー部を有すると共に、その他端部側にロック手段のロッキング片の係止部と係脱可能な係合部を有し、前記操作ハンドルをハンドル施錠位置まで回転すると、前記摘み操作片が付勢手段のバネ力によりそのストッパー部がスプーンの端面と対向する位置まで移動して該操作ハンドルを自動施錠することを特徴とする。
【発明の効果】
【０００７】
（１）簡単な機構と合理的な構成により（付勢手段と、摘み操作片のみで）、操作ハンドルを自動的かつ確実に施錠することができる。
（２）摘み操作片のストッパー部がスプーンの端面と対向するので、操作ハンドルが摘み操作片で施錠された時には、容易に操作ハンドルを回すことができない。
（３）請求項２に記載の発明は、摘み操作片を操作するだけで良いから、操作ハンドルの施錠状態を簡単に解消させることができる。
（４）請求項３に記載の発明は、防犯性の向上を図ることができる。
（５）請求項４に記載の発明は、ダイヤル部材をダイヤル施錠位置（番号不一致）にした後に、操作ハンドルを、そのスプーンが外側障子のクレセント受けに係合するように回すと、そのまま操作ハンドルの回転を施錠（ハンドルロックの状態）にすることができる。
（６）各部材をケース本体内に合理的に配設したので、ケース本体内の空間を有効的に利用することができる。
【発明を実施するための最良の形態】
【０００８】
図１乃至図１２は、本発明の一実施例を示す各説明図である。
【０００９】
（１）実施の環境  
図１乃至図３は、本発明の実施の環境を示す各概略説明図である。窓用クレセント錠Ｘは、普通一般に建具のサッシ型障子に取り付けられている。図１を基準にすると、１は外障子（通称、戸）、２は外障子の外側サッシ（通称、縦框）、３は内障子、４は内障子の内側サッシである。本発明のクレセント錠Ｘは、内障子３の内側サッシ４に図示しない固着手段を介して固定的に取り付けられる。
【００１０】
したがって、本発明では、内側サッシ４の側壁に固定されるケース本体５と、このケース本体５に回動可能に装着され、かつ、施錠位置へと回転すると外側サッシ２の側壁に固定されたクレセント受け６に係合するスプーン（掛け部）７を有する操作ハンドル８と、この操作ハンドル８を施錠位置へと回転すると、該操作ハンドル８を自動的にロック状態にする回転ロック機構とを備えていることが前提条件である。本発明は、ケース本体に設けられた回転ロック機構１０がクレセント錠の主要部（新規事項）である。
【００１１】
（２）本発明の主要部
図５及び図６を参照にして、クレセント錠Ｘの主要部を説明する。なお、細部的事項については、極力図面及びその説明を省く。
【００１２】
本発明の回転ロック機構１０は、ケース本体５に上下動可能に設けられ、かつ、ケース本体内装の付勢手段１１のバネ力により一端部側に設けられたストッパー部１２ａが前記スプーン７の半円弧状周壁７ａに常時圧接すると共に、他端部側に係合部１２ｂを有する摘み操作片１２と、操作ハンドル８の施錠時（スプーンがクレセント受けに略完全に係合した時）に於いて、前記スプーン７の弧状周壁の規制から解放されたストッパー部１２ａが摘み操作片１２のロック方向への移動に伴いスプーン７の垂直方向の端面７ｂとの対向関係を介して操作ハンドル８を自動的にロック状態にした場合に、摘み操作片１２の前記係合部１２ｂに係合するロッキング片１４を有する摘み操作片用ロック手段１３と、このロック手段１３の前記ロッキング片１４の係止部１４ａと摘み操作片１２の係合部１２ｂとの係合関係を解消させることができるようにケース本体５の他端部に回動自在に設けられたロッキング片１４用のロック解消手段（望ましくはダイヤル部材）２２とから成る。以下、各構成要件をその細部事項も含めて具体的に説明する。
【００１３】
（３）ケース本体
図２乃至図５を参照にしてケース本体５の構成を説明する。ケース本体５は、一側面開口の長箱状に形成され、図２及び図３で示すように内側サッシ４の側壁４ａの中央部に固着具を介して縦方向に固定される。
【００１４】
ところで、図２は室内側から外方向に見た場合の正面図、図３は図２を基準にした場合の左側面からの説明図、図４は主要箇所を縦断面で示したケース本体の概略断面説明図（主要部を省略）、図５はケース本体５を裏側から見た施錠時の説明図である。
【００１５】
特に図５は、ダイヤル部材２２を指でダイヤル施錠位置（番号不一致の位置）へと任意に回した後に、操作ハンドル８をハンドル施錠位置（図では上方）へと回し、その結果、図３で示すように外側サッシ２のクレセント受け６にスプーン７が係合すると同時に、操作ハンドル８のスプーン７が回転ロック機構１０を構成する摘み操作片１２のストッパー部１２ａによって自動的にロック状態にされたことを示す。
【００１６】
このハンドル施錠時の場合、図６で示すように、本実施例では摘み操作片１２が付勢手段１１のバネ力により所定量下がると、そのストッパー部１２ａが、スプーン７の上部端面７ｂに対向状態になる。これにより、操作ハンドル８を矢印Ａ方向（反時計方向）へ戻す（回す）ことができない。
【００１７】
したがって、図６の矢印Ｂは、スプーン７がクレセント受け６に係合するように操作ハンドル８を施錠位置へと回した場合に摘み操作片１２が付勢手段１１のバネ力により自動的に操作ハンドル８をロックする方向へ移動したことを、一方、矢印Ａはスプーン７をクレセント受け６から離脱するためには、操作ハンドル８を開錠方向Ａへと回さなければならないことを意味する。
【００１８】
さて、図４または図５を基準にしてケース本体５の各部位や取付け部を説明する。５ａはケース本体５の上端部（一端部）で、この上端部側には、第１取付け孔が上下（垂直）方向に形成され、或いは第１取付け孔を有するブロック状第１取付け部１５がケース本体５の左右の側壁の内壁面に所要間隔離間してケース本体５内に固定的に設けられている。
【００１９】
一方、５ｂはケース本体５の下端部（他端部）で、この下端部側には後述するダイヤル部材２２用の収納凹所１６が形成されている。１７は中央部（中央部寄りの部位も含む）に形成された垂直方向の第２取付け孔、或いは第２取付け孔を有するブロック状第２取付け部で、該第２取付け部１７も第１取付け部１５と同様にケース本体５の左右の側壁の内壁面に所要間隔離間してケース本体５内に固定的に設けられている。
【００２０】
本実施例では、第１及び第２取付け部１５，１７は、回転ロック機構１０を構成する各付勢手段をそれぞれケース本体５内に適宜に組み込むために、付勢手段用の収納空間をそれぞれ適宜に設け、或いは形成している。第１取付け部１５及び第２取付け部１７に関しては、全体をトラック形状にする、區形状に形成する、肉厚状に形成する、側壁にバネ収納用の切欠部を形成する、断面ハット形のバネ収納部分を連設形成する、突起部を連設するなど設計上の必要性に対応して適宜付加的構成が加味される。
【００２１】
また、５ｃは一方の側壁（図５では左側壁）で、この左側壁５ｃの下端部は外方向にやや小さめの弧状に突出し、かつ、該弧状突起部にはダイヤル部材２２の標識本体の外周部が食み出る透孔が形成されている。一方、５ｄは他方の側壁（図５では右側壁）で、この右側壁５ｄの上端部寄りの部位は外方向にやや弧状に突出し、かつ、該弧状部にはスプーン７の周壁７ａが出没可能な開口が形成されている。その他、ケース本体１には、操作ハンドル用軸孔等が形成されていると共に、外壁に相当する上下のキャップ状部分は、係合離脱可能に嵌め込まれている。
【００２２】
（４）操作ハンドル
操作ハンドル８は、ケース本体１の中央部（中央部寄りの部位も含む）に軸部が回動自在に嵌め込まれている。この操作ハンドル８は、レバー状操作摘み部８ａと、この操作摘み部８ａの先端部に連設し、かつ、ケース本体１の軸孔に嵌入する嵌合突起軸８ｂと、この嵌合突起軸８ｂに内端部が相当嵌入され、かつ、突出する端部に半円弧状のスプーン７を備えた連結軸８ｃとから構成されている。なお、発明の特定要件に関係しない細部的事項については説明を割愛する。
【００２３】
（５）回転ロック機構のダイヤル部材
図７を参照にしてダイヤル部材２２の一例を説明する。ダイヤル部材２２は、例えばケース本体１の下端部の収納凹所１６に回動可能に組み込まれている。ダイヤル部材２２は、標識２３を有する操作部本体２４を有し、前記標識２３は前述した一方の側壁５ｃの弧状突起部から常に見えるようになっている。ダイヤル部材２２は、図４で示すように操作ハンドル８の嵌合突起軸８ｂに対して相当離間して、かつ、一方の側壁５ｃ側にオフセットした状態でケース本体１内に装着されている。
【００２４】
しかして、ダイヤル部材２２は、図７で示すように、環状外壁面に「１」〜「０」等のダイヤル標識２３を有する操作部本体２４と、この操作部本体２４の一側面に形成された嵌合凹所に一体的に嵌着する係合円盤２５と、この係合円盤２５と対向するドーナツ状の回転子２６とから成り、前記係合円盤２５の突壁状の環状部の内周面には、軸孔に臨む駆動爪２７が突設され、一方、前記回転子２６の対向面には、前記駆動爪２７と係合可能な従動爪２８が突設されている。
【００２５】
そして、本体の一部を構成する駆動側の係合円盤２５と従動側の回転子２６の周側部には、操作片用ロック手段１３を構成するロック制御片３１の突起状係合部３２が係脱可能な逃し用凹所２９，３０がそれぞれ形成されている。
【００２６】
なお、本実施例ではダイヤル部材２２は、ダイヤル部材２２の係合円盤２５と標識を有さない回転子２６との組合せであるが、この回転子２６の外周面に「１」〜「０」等のダイヤル標識を設けて第２のダイヤル部材とし、第１のダイヤル部材２２と同様に第２のダイヤル部材の外周部もケース本体１の弧状突起部５ｃから露出するように構成しても良い。また、ダイヤル部材２２は、ケース本体１に符号を付さない支軸、バネ、２個の連結筒等を介して適宜に軸支されている。
【００２７】
（６）付勢手段１１と摘み操作片１２
図９で示すように、本実施例では、付勢手段１１は、ケース本体５の側壁５ｃの上部内壁面と第１取付け部１５との間に形成された段差状のバネ収納部に組み込まれており、摘み操作片１２のストッパー部１２ａの上端面にその下端部が圧接している。したがって、前記ストッパー部１２ａの下部側の傾斜或いはやや弧状に形成されたスライド面１２ｃは、スプーン７の周壁７ａに常時圧接している。それ故に、摘み操作片１２は、ケース本体５に内装された付勢手段１１によって常時操作ハンドル８をロックすることが可能な下方方向（スプーン７の端面に係合する方向）に付勢されている。
【００２８】
摘み操作片１２は、ケース本体５の側壁５ｃに形成された案内開口を介してケース本体５に上下動自在に装着されている。前述したように、摘み操作片１２は、一端部側にスライド面１２ｃを有するストッパー部１２ａ設けられ、一方、他端部側にロック手段１３のロッキング片１４の係止部１４ａが係脱可能な鉤状の係合部１２ｂを有している。上下のストッパー部１２ａと係合部１２ｂは縦方向に長板状に連設しており、これら１２ａ，１２ｂに外方向へと連設する耳状の摘み部分１２ｄは案内開口を介して側壁５ｃの外壁面に突出している。
【００２９】
（７）摘み操作片用ロック手段１３
摘み操作片用ロック手段１３は、摘み操作片１２とダイヤル部材２２の各作動に関連付けられて摘み操作片１２とダイヤル部材２２との間に配設されている。本実施例のロック手段１３は、図５で示すように、摘み操作片１２の係合部１２ｂに係合する指状のロッキング片１４と、このロッキング片１４を制御するロック制御片３１と、これらをそれぞれ付勢する第１及び第２のバネ３３，３４とを含んでいる。
【００３０】
人差し指状のロッキング片１４は摘み操作片１２の係合部１２ｂに係脱するように、一方、親指状のロック制御片３１はダイヤル部材２２の各逃がし用凹所２９，３０に係脱するようにダイヤル部材２２の付近に横設軸架された共通軸３５に軸支されている。また、両者１４，３１は、特に図示しないが互いの係合部の係合関係により連動可能に組み合わせられている。
【００３１】
ロッキング片１４用の第１バネ３３は、その一端部はロッキング片１４に支持されていると共にその他端部はロック制御片３１に適宜に支持されている。この第１バネ３３のバネ力は微妙に設定されており、所定の位置まで外拡すると、それ以上外方向へはバネ力は作用しない反面、内側に変位すると外方向に反作用する。
【００３２】
一方、ロック制御片３１用の第２バネ３４は、第２取付け部１７に連設形成したバネ収納部３６内に組み込まれ、ロック制御片３１の突起状係合部３２がダイヤル部材２２の各逃がし用凹所２９，３０に係合するように常時付勢する。
【００３３】
本実施例のロック手段１３は、主な部材が「二物品１４，３１」で構成されているが、その理由は、例えばダイヤル部材２２の暗証番号が一致し、図１１で示すようにダイヤル部材２２の各逃がし用凹所２９，３０にロック制御片３１の突起状係合部３２が係合しても、該ロック制御片３１はロッキング片１４との関係なく係合方向に回転できるようにするためである。
【００３４】
したがって、ロック制御片３１は、第２バネ３４のバネ力により、又はバネ力に抗して独立・別個にダイヤル部材２２に対して係脱する。付言すると、ロッキング片１４がロック制御片３１から影響（制御）を受けるのは、図９で示すように、ダイヤル部材２２を任意に回してダイヤル施錠（暗証番号が不一致）になった場合である。
【００３５】
（８）ハンドル自動施錠
前述したように、図５は操作ハンドル８のスプーン７をクレセント受け６に完全に係合する所まで回したハンドル施錠位置に於いて、当該操作ハンドル８が摘み操作片１２を介して自動的に施錠された（ハンドルがロック状態にされた）ことを示している。
【００３６】
図９及び図１０は、この「ハンドル自動施錠」になる前段階をそれぞれ示している。まず、図９はハンドル開錠時の状態である。ハンドル開錠時、摘み操作片１２は上方に手動で移動し、摘み操作片１２の摘み部分１２ｄから指を離すと、ケース本体５内に組み込まれた付勢手段１１のバネ力により摘み部分１２ｄに連設するケース本体５内のストッパー部１２ａがスプーン７の弧状周壁７ａに常時圧接する。
【００３７】
しかも、図９では、ダイヤル部材２２を任意に回し、ダイヤル施錠（暗証番号不一致）にした時の状態を示している。この時、ロック制御片３１は第２バネ３４のバネ力に抗して係脱方向（反時計方向）へ回転している。この場合ロック制御片３１の突起状係合部３２がダイヤル部材２２の各逃がし用凹所２９，３０から抜けるので、ロッキング片１４用の第１バネ３３の両端部が内側に変位し、その結果、第１バネ３３の反作用によってロッキング片１４の係止部１４ａが摘み操作片１２の係合部１２ｂにいつでも係合可能な状態に成り得るように圧接する。
【００３８】
図１０は、図９のハンドル開錠の状態に於いて、操作ハンドル８を矢印Ｂ方向へと回転した中途の状態を示す。操作ハンドル８をハンドル施錠の方向へ回すと、スプーン７の弧状周壁７ａはストッパー部１２ａのスライド面１２ｃを摺接する。この中途の状態の時は、ストッパー部１２ａはスプーン７の弧状周壁７ａにまだ規制されているから、付勢手段１１で付勢されているものの、下方に落ち込むことができない。
【００３９】
そして、操作ハンドル８をハンドル施錠位置まで回転すると、摘み操作片１２が付勢手段１１のバネ力によりそのストッパー部１２ａがスプーン７の端面７ｂと対向する位置まで移動し、その結果、該操作ハンドル８は自動的に施錠される。この時、第１バネ３３のバネ力によりロッキング片１４が共通軸３５を支点に時計方向に若干回転し、その係止部１４ａが摘み操作片１２の係合部１２ｂに係合する。
【００４０】
（９）ハンドル施錠の解消
図１１はダイヤル部材２２を解錠状態にした説明図である。一方、図１２は摘み操作片１２を手動で上方に上げ、操作ハンドル８の施錠を解消した状態の説明図である。本実施例では、実施レベルの実施例（ダイヤル部材を特定要件とするもの）を図示しているが、この実施例に於いては、まず、ダイヤル部材２２を暗証番号に基づいて「ダイヤル解錠状態」とし、次に、摘み操作片１２を付勢手段１１のバネ力に抗して上方に持ち上げ、操作ハンドル８に対する施錠状態を解消する。
【００４１】
もちろん、ダイヤル部材を特定要件としない実施例（請求項１）に於いては、摘み操作片１２の摘み部分を持ち上げすると、摘み操作片１２は付勢手段１１のバネ力に抗してスライド上昇するから、摘み操作片１２を持ち上げたまま操作ハンドル８をスプーン７がクレセント受け６から外れる方向へ回せば良い。請求項１に記載の実施例は、摘み操作片１２を持ち上げると、操作ハンドル８が容易に開錠可能となるから、防犯上問題であるが、本発明の第１目的を達成することができる。
【実施例】
【００４２】
摘み操作片１２のストッパー部１２ａの形状は、特に限定するものではない。したがって、そのスライド面１２ｃの形状は、任意に設計変更（例えば逆山形状，円弧状など）することができる。
【００４３】
また、本実施例ではダイヤル部材２２を組み込んで摘み操作片用ロック手段１３のロック状態を解消させているが、ダイヤル部材２２に代えて、操作片用ロック手段１３のロック状態を解消させる操作手段（例えばケース本体に形成した挿入孔に差込可能なロック解消用操作棒）を用いることもできる。なお、本実施例では、細部的事項（例えばスプーン７と第２取付け部１７にそれぞれ端部を取り付けたクリックバネ、スプーン用案内板等）については省略した。
【図面の簡単な説明】
【００４４】
図１乃至図１２は本発明の一実施例を示す各説明図。
【図１】実施の環境を示す説明図。
【図２】室内側から外方向に見た場合の説明図。
【図３】図２を基準にした場合の左側面からの説明図。
【図４】主要箇所を縦断面で示したケース本体の概略断面説明図（主要部を省略）。
【図５】ケース本体５を裏側から見た施錠時（ハンドル施錠及びダイヤル施錠）の説明図。
【図６】主要部材（付勢手段、摘み操作片、スプーン、ロッキング片）の説明図。
【図７】要部（ダイヤル部材）の一例を示す分解斜視図。
【図８】要部（摘み操作片用ロック手段）の説明図。
【図９】ハンドル開錠かつダイヤル施錠の状態を示す説明図。
【図１０】図９に於いて、操作ハンドルを回している途中の状態を示す説明図。
【図１１】ダイヤルを解錠状態にした説明図。
【図１２】図１１に於いて、摘み操作片を手動で上方に上げ、ハンドルの施錠を解消した状態の説明図。
【符号の説明】
【００４５】
Ｘ…窓用クレセント錠、１…外障子、２…外側サッシ、３…内障子、４…内側サッシ、５…ケース本体、６…クレセント受け、７…スプーン、７ａ…スプーンの弧状周壁、７ｂ…スプーンの端面、８…操作ハンドル、１０…回転ロック機構、１１…付勢手段、１２…摘み操作片、１２ａ…ストッパー部、１２ｂ…係合部、１２ｂ…スライド面、１２ｄ…耳状の摘み部分、１３…摘み操作片用ロック手段、１４…ロッキング片、１４ａ…係止部、１５…第１取付け部、１７…第２取付け部、２２…ダイヤル部材、３１…ロック制御片、３２…係合部、３３…第１バネ、３４…第２バネ、３５…共通軸。
【図１】
2006112136.tif 000003
【図２】
2006112136.tif 000004
【図３】
2006112136.tif 000005
【図４】
2006112136.tif 000006
【図５】
2006112136.tif 000007
【図６】
2006112136.tif 000008
【図７】
2006112136.tif 000009
【図８】
2006112136.tif 000010
【図９】
2006112136.tif 000011
【図１０】
2006112136.tif 000012
【図１１】
2006112136.tif 000013
【図１２】
2006112136.tif 000014